(57)【要約】【課題】  構成を簡素化でき、且つ、短絡作業時において導入ポートに接続された流路の追従動作を回避することができるとともに、容器を支持する際の比較的大きな荷重に十分耐え得る容器ホルダを提供する。【解決手段】  容器Ｔの下側開口Ｔｂと接続可能な導出ポート８が形成され、当該容器Ｔの下端側を支持可能に固定された固定部材２と、容器Ｔの上側開口Ｔａと接続可能な導入ポート７が形成され、揺動軸Ｌ１を中心に揺動して当該導入ポート７が上側開口Ｔａと接続又は離間可能とされるとともに、接続時に当該容器Ｔの上端側を支持する揺動部材３と、該揺動部材３の揺動により導入ポート７と接続可能な第１短絡口５と、固定部材２の導出ポート８と接続又は離間可能な第２短絡口６を有した短絡部材４と、第１短絡口５と第２短絡口６とを連結して短絡時の流路を成す短絡流路Ｒ３とを具備した容器ホルダである。【選択図】図１
2006325668.tif 000002
【特許請求の範囲】
【請求項１】
内部に薬剤を収容する収容空間を有し、上端と下端とにそれぞれ当該収容空間に通じる開口が形成された容器を支持するための容器ホルダにおいて、
前記容器の下側開口と接続可能な導出ポートが形成され、当該容器の下端側を支持可能に固定された固定部材と、
前記容器の上側開口と接続可能な導入ポートが形成され、揺動軸を中心に揺動して当該導入ポートが前記容器の上側開口と接続又は離間可能とされるとともに、接続時に当該容器の上端側を支持する揺動部材と、
該揺動部材の揺動により導入ポートと接続可能な第１短絡口と、
前記固定部材の導出ポートと接続又は離間可能な第２短絡口を有した短絡部材と、
前記第１短絡口と第２短絡口とを連結して短絡時の流路を成す短絡流路と、
を具備したことを特徴とする容器ホルダ。
【請求項２】
前記短絡部材は、前記固定部材上で揺動して前記第２短絡口が前記導出ポートと接続又は離間可能とされたことを特徴とする請求項１記載の容器ホルダ。
【請求項３】
前記揺動部材には、その導入ポートが前記容器の上側開口に接続される際、当該上側開口の上下方向の寸法誤差を吸収する吸収手段が形成されたことを特徴とする請求項１又は請求項２記載の容器ホルダ。
【請求項４】
前記揺動部材は、その導入ポートが前記容器の上側開口に接続された第１接続状態、当該導入ポートが上側開口から遠ざかった位置まで揺動した非接続状態、及び当該導入ポートが前記第１短絡口に接続された第２接続状態の間で揺動可能とされるとともに、各状態において揺動部材をロックするロック手段を具備したことを特徴とする請求項１〜請求項３の何れか１つに記載の容器ホルダ。
【請求項５】
前記揺動部材の導入ポートと前記容器の上側開口との接続を検知する第１検知手段と、前記固定部材の導出ポートと前記短絡部材の第２短絡口との接続を検知する第２検知手段とを具備し、これら第１検知手段及び第２検知手段に基づいて前記容器の支持状態を認識し得ることを特徴とする請求項１〜請求項４の何れか１つに記載の容器ホルダ。
【発明の詳細な説明】
【技術分野】
【０００１】
本発明は、内部に薬剤を収容する収容空間を有し、上端と下端とにそれぞれ当該収容空間に通じる開口が形成された容器を支持するための容器ホルダに関するものである。
【背景技術】
【０００２】
医療現場において腎不全患者の治療等に使用される透析液は、一般に重炭酸塩系と酢酸系とに区分され、このうち重炭酸塩系の透析液は、重炭酸ナトリウムを含まないもの（以下、Ａ剤という。）と、重炭酸ナトリウム（以下、Ｂ剤という。）の２種類の薬剤に水を混合して調整されるものである。然るに、近年、運搬性向上の観点から、Ｂ剤及びその他薬剤を粉末化し、必要時に溶解して濃縮液を作成し、更に希釈して所定濃度の透析液を調整し、治療に使用される場合が多くなっている。
【０００３】
ここで使用される透析用粉末薬剤（特にＢ剤）は、樹脂製容器の内部における収容空間に収容されており、この樹脂製容器の上端と下端とには、内部の収容空間に通じて溶解用の水を導入し得る上側開口と、溶解後の原液を導出して透析装置側に供給し得る下側開口とがそれぞれ形成されている。この樹脂製容器は、例えば透析装置に形成された容器ホルダに支持され、内部の薬剤が溶解され得るよう構成されている。
【０００４】
ここで、従来の容器ホルダは、例えば特許文献１にて開示されているように、容器の上端側を支持する上側フレームに上側開口と接続し得る入口ポートが形成されるとともに、当該容器の下端側を支持する下側フレームに下側開口と接続し得る出口ポートが形成されており、入口ポート及び出口ポートを介してＢ剤の溶解を行い得るよう構成されている。そして、導入ポートを有する上側フレームと導出ポートを有する下側フレームとを所定間隔離間させつつ対向配置しておき、上下に一直線状に延設されたレール上を上側フレームが摺動することにより、当該上側フレームを固定された下側フレームに対し近接又は離間させていた。
【０００５】
これにより、容器を支持しつつ溶解用の水を上側開口から導入して下側開口から溶解後の原液を導出させるとともに、容器を取り外した後においては、上側フレームを摺動させて下側フレームに近接させ、導入ポート及び導出ポートを接続させて流路を短絡させることができる。かかる短絡状態により、透析装置から供給される洗浄液や消毒液が短絡した流路を流通し得るようになっていた。
【０００６】
一方、特許文献２には、溶解用の水が導入される導入ポートと、該導入ポートが形成されるとともに容器の上側を支持し得る上側の揺動フレームと、作成された原液を導出する導出ポートと、該導出ポートが形成されるとともに容器の下側を支持し得る下側の揺動フレームと、両揺動フレームの揺動により導入ポート及び導出ポートとそれぞれ接続し得る短絡口とを具備した容器ホルダが開示されている。かかる容器ホルダによれば、容器が取り外された後、上側及び下側の揺動フレームをそれぞれ揺動させて、導出ポート及び導入ポートをそれぞれ短絡口に接続させることにより、透析装置から供給される洗浄液や消毒液が短絡した流路を流通し得るようになっていた。
【特許文献１】特表平１１−５０８４６９号公報
【特許文献２】特開昭６３−１９４６６６号公報
【発明の開示】
【発明が解決しようとする課題】
【０００７】
しかしながら、上記特許文献１で開示された従来の容器ホルダにおいては、容器を支持した状態から短絡した状態とすべく、上側フレームを下側フレームに近接した位置まで摺動させる構成であるため、上側フレームの導入ポートまで溶解用の水を流通させる流路が上側フレームの摺動動作に追随する必要があった。従って、当該流路の取り回しが複雑となるとともに、追従動作の繰り返しにより破損しやすいという問題があった。
【０００８】
また、上記特許文献２で開示された従来の容器ホルダにおいては、容器の上側を支持する揺動フレームと下側を支持する揺動フレームとをそれぞれ揺動させて流路を短絡させる構成であるため、容器を支持する際の荷重により、下側の揺動フレームが破損してしまう虞があった。即ち、導入ポートに容器の上側開口を液密に接続させる必要があることから、容器を支持する際、上側の揺動フレームを比較的強く下方へ押圧する必要があり、かかる大きな荷重が容器を介して下方の揺動フレームに伝達されるのであるが、下側の揺動フレームは、揺動軸を中心として揺動可能に支持されているため、かかる伝達された大きな荷重に対して十分に耐えることができないのである。
【０００９】
本発明は、このような事情に鑑みてなされたもので、構成を簡素化でき、且つ、短絡作業時において導入ポートに接続された流路の追従動作を回避することができるとともに、容器を支持する際の比較的大きな荷重に十分耐え得る容器ホルダを提供することにある。
【課題を解決するための手段】
【００１０】
請求項１記載の発明は、内部に薬剤を収容する収容空間を有し、上端と下端とにそれぞれ当該収容空間に通じる開口が形成された容器を支持するための容器ホルダにおいて、前記容器の下側開口と接続可能な導出ポートが形成され、当該容器の下端側を支持可能に固定された固定部材と、前記容器の上側開口と接続可能な導入ポートが形成され、揺動軸を中心に揺動して当該導入ポートが前記容器の上側開口と接続又は離間可能とされるとともに、接続時に当該容器の上端側を支持する揺動部材と、該揺動部材の揺動により導入ポートと接続可能な第１短絡口と、前記固定部材の導出ポートと接続又は離間可能な第２短絡口を有した短絡部材と、前記第１短絡口と第２短絡口とを連結して短絡時の流路を成す短絡流路とを具備したことを特徴とする。
【００１１】
請求項２記載の発明は、請求項１記載の容器ホルダにおいて、前記短絡部材は、前記固定部材上で揺動して前記第２短絡口が前記導出ポートと接続又は離間可能とされたことを特徴とする。
【００１２】
請求項３記載の発明は、請求項１又は請求項２記載の容器ホルダにおいて、前記揺動部材には、その導入ポートが前記容器の上側開口に接続される際、当該上側開口の上下方向の寸法誤差を吸収する吸収手段が形成されたことを特徴とする。
【００１３】
請求項４記載の発明は、請求項１〜請求項３の何れか１つに記載の容器ホルダにおいて、前記揺動部材は、その導入ポートが前記容器の上側開口に接続された第１接続状態、当該導入ポートが上側開口から遠ざかった位置まで揺動した非接続状態、及び当該導入ポートが前記第１短絡口に接続された第２接続状態の間で揺動可能とされるとともに、各状態において揺動部材をロックするロック手段を具備したことを特徴とする。
【００１４】
請求項５記載の発明は、請求項１〜請求項４の何れか１つに記載の容器ホルダにおいて、前記揺動部材の導入ポートと前記容器の上側開口との接続を検知する第１検知手段と、前記固定部材の導出ポートと前記短絡部材の第２短絡口との接続を検知する第２検知手段とを具備し、これら第１検知手段及び第２検知手段に基づいて前記容器の支持状態を認識し得ることを特徴とする。
【発明の効果】
【００１５】
請求項１の発明によれば、揺動部材の揺動により導入ポートと第１短絡口とを接続するとともに、短絡部材によりその第２短絡口と固定部材の導出ポートとを接続して短絡させることができるので、構成を簡素化でき、且つ、短絡作業時において導入ポートに接続された流路の追従動作を回避することができる。また、容器の下端側を支持する固定部材が固定されているため、容器を支持する際の比較的大きな荷重に十分耐えることができる。
【００１６】
即ち、短絡部材を固定部材に近接させて、導出ポートに対して第２短絡口を接続するので、容器の支持時及び短絡時の何れにおいても固定部材を固定させたままとすることができ、容器の支持時に生じる比較的大きな荷重に十分耐えるよう、固定部材をより強固に固定させることができるのである。
【００１７】
請求項２の発明によれば、短絡部材が固定部材上で揺動して、第２短絡口が導出ポートと接続又は離間可能とされたので、導出ポートに第２短絡口を接続させる際、別途の位置決め作業を不要とすることができる。即ち、短絡部材の揺動過程において第２短絡口が導出ポートと接続するよう設定すれば、単に短絡部材を揺動させるだけで、第２短絡口が導出ポートの位置に正確に合致し、接続が可能とされるのである。
【００１８】
請求項３の発明によれば、揺動部材には、その導入ポートが容器の上側開口に接続される際、当該上側開口の上下方向の寸法誤差を吸収する吸収手段が形成されたので、より正確に上側開口と導入ポートとの接続を可能とすることができるとともに、吸収手段で許容し得る種々寸法の容器を支持することができ、汎用性を向上することができる。
【００１９】
請求項４の発明によれば、ロック手段にて、第１接続状態、非接続状態及び第２接続状態のそれぞれで揺動部材をロックすることができるので、第１接続状態における容器の上端側の支持及び導入ポートと上側開口との接続、第２接続状態における導入ポートと第１短絡口との接続を確実に維持させることができる。また、非接続状態で揺動部材をロックすることにより、容器の取付及び取り外し時に揺動部材を手で非接続状態に維持させておく必要がなくなり、作業性を向上させることができる。
【００２０】
請求項５の発明によれば、第１検知手段及び第２検知手段に基づいて容器の支持状態を認識し得るので、短絡状態でないときに例えば洗浄や消毒用の薬剤を供給してしまうのを回避することができるとともに、短絡状態でなく、且つ、容器を支持していないときに導入ポートに溶解用の水等を供給してしまうのを回避することができる。
【発明を実施するための最良の形態】
【００２１】
以下、本発明の実施形態について図面を参照しながら具体的に説明する。
本実施形態に係る容器ホルダは、図１及び図２に示すように、本体１と、該本体１の下端側に形成された固定部材２と、本体１の上端側に形成された揺動部材３と、固定部材２上に形成された短絡部材４と、本体１に形成された第１短絡口５と、短絡部材４に形成された第２短絡口６とから主に構成され、透析装置に供給される透析液のＢ剤を収容した樹脂製の容器Ｔを支持するものである。
【００２２】
容器Ｔは、図２に示すように、内部に薬剤（Ｂ剤）を収容し得る収容空間Ｓを有し、上端と可鍛とにそれぞれ収容空間Ｓに通じる開口（上側開口Ｔａ、下側開口Ｔｂ）が形成されたものである。かかる容器Ｔは、透析における所定回数分のＢ剤が充填され、当該Ｂ剤がなくなった後においては使い捨てされる。尚、上側開口Ｔａ及び下側開口Ｔｂは、容器Ｔが容器ホルダにセットされるまでフィルム等にて遮蔽され、内部の収容空間Ｓが液密状態とされている。
【００２３】
固定部材２は、本体１に対して強固に固定され、容器Ｔの下端側を支持するためのもので、その上面側には容器Ｔの下側開口Ｔｂと接続し得る導出ポート８（図２及び図１２参照）が形成されている。かかる導出ポート８には、容器Ｔの下側開口Ｔｂと接続された際のシールを行うシール部材が形成されているとともに、図２に示すように、固定部材２及び本体１を通って外部（不図示の透析装置側）に通じる導出流路Ｒ１が接続されている。
【００２４】
揺動部材３は、固定部材２と対向して本体１に形成されて容器Ｔの上端側を支持するためのもので、揺動軸Ｌ１を中心に揺動可能とされている。かかる揺動部材３の下側面には、容器Ｔの上側開口Ｔａと接続し得る導入ポート７（図２、図５及び図６参照）が形成されている。この導入ポート７には、容器Ｔの上側開口Ｔａと接続された際のシールを行うシール部材が形成されているとともに、揺動部材３及び本体１を通って外部（不図示の透析装置側）に通じる導入流路Ｒ２が接続されている。
【００２５】
これにより、容器Ｔを図１及び図２の如きセットすると、導入流路Ｒ２、容器Ｔの収容空間Ｓ及び導出流路Ｒ１が連通され、透析装置側から導入流路Ｒ２を介して溶解用の水を供給すると、その水が容器Ｔ内の収容空間Ｓに至り、薬剤（Ｂ剤）を溶解して原液が作成されて、導出流路Ｒ１を介して原液が透析装置側へ供給される。尚、導入ポート７には、容器Ｔの上側開口Ｔａと接続する際、当該上側開口Ｔａを遮蔽するフィルムを破るためのナイフ７ａ（図５及び図６参照）が形成されている。同様なナイフは、図示しないが、導出ポート８にも形成されている。
【００２６】
また、揺動部材３は、容器Ｔをセットする際或いは溶解作業が終了して容器Ｔを取り除く際、揺動軸Ｌ１を中心に、導入ポート７が上側開口Ｔａから遠ざかる方向（上方向）へ揺動可能に構成されている。これにより、容器Ｔの取付及び取り外し作業を容易とすることができる。このように揺動部材３が揺動して、導入ポート７が容器Ｔの上側開口Ｔａから遠ざかった位置まで揺動した状態を「非接続状態」とする。
【００２７】
然るに、Ｂ剤の溶解作業が終了して容器Ｔが取り除かれた後、揺動軸Ｌ１を中心に揺動部材３を下方へ揺動すると、導入ポート７が第１短絡口５に接続されるよう構成されている。即ち、揺動部材３は、上述した非接続状態（図９の状態）と、その導入ポート７が容器Ｔの上側開口Ｔａに接続された状態（図１及び図１０の状態であって、これを第１接続状態という。）と、当該導入ポート７が第１短絡口５に接続された状態（図３及び図１１の状態であって、これを第２接続状態という。）との間で揺動可能とされている。
【００２８】
一方、短絡部材４は、固定部材２に形成された揺動軸Ｌ２を中心に揺動可能とされたもので、その裏面には、導出ポート８と接続可能な第２短絡口６が形成されている。かかる第２短絡口６は、図４に示すように、上述の第１短絡口５と短絡流路Ｒ３を介して連通されており、Ｂ剤の溶解作業が終了して容器Ｔを取り除いた後、短絡部材４を揺動させて第２短絡口６を導出ポート８に接続させることにより短絡がなされ得るよう構成されている。
【００２９】
即ち、短絡時には、揺動軸Ｌ１を中心に揺動部材３を揺動させて導入ポート７と第１短絡口５とを接続させるとともに、揺動軸Ｌ２を中心に短絡部材４を揺動させて導出ポート８と第２短絡口６とを接続させることにより、導入流路Ｒ２、短絡流路Ｒ３及び導出流路Ｒ１が連通することとなる。これにより、透析装置側から供給された洗浄液又は消毒液が、導入流路Ｒ２、短絡流路Ｒ３及び導出流路Ｒ１を通過し、透析装置側へ戻ることとなる。尚、短絡部材４には、係止爪１７が形成されており、固定部材２側に揺動した状態（第２短絡口６と導出ポート８とが接続された状態）において当該係止爪１７が固定部材２の被係止部１８に係止してロックし得るようになっている。
【００３０】
ここで、揺動部材３には、図５及び図６に示すように、その導入ポート７が容器Ｔの上側開口Ｔａと接続する際、当該上側開口Ｔａの上下方向の寸法誤差を吸収するスプリング９（吸収手段）が形成されている。即ち、導入ポート７は、上下方向に摺動自在とされるとともに、スプリング９により常時下方へ付勢された状態とされており、容器Ｔの上側開口Ｔａを導入ポート７へセットする際、図６に示すように、当該導入ポート７がスプリング９の付勢力に抗して上方へ摺動して、高さ方向の寸法誤差を吸収し得るようになっているのである。これにより、より正確に上側開口Ｔａと導入ポート７との接続を可能とすることができるとともに、スプリング９で許容し得る種々寸法の容器を支持することができ、汎用性を向上することができる。
【００３１】
また、導入ポート７には、スイッチレバー１０が連結されており、導入ポート７の摺動動作と連動してスイッチレバー１０が上下動し得るよう構成されている。かかるスイッチレバー１０の先端近傍には、第１検知手段としてのスイッチＳＷ１が配設されており、スイッチレバー１０が下端にあるとき（容器Ｔの上側開口Ｔａがセットされていない状態）は、その先端がスイッチＳＷ１と当接してオン状態が維持され（図５参照）、容器Ｔの上側開口Ｔａがセットされて導入ポート７が上方へ摺動すると、スイッチレバー１０の先端がスイッチＳＷ１から離間してオフ状態となる（図６参照）ようになっている。これにより、揺動部材３の導入ポート７と容器Ｔの上側開口Ｔａとの接続を検知することができる。
【００３２】
一方、短絡部材４には、図１２に示すように、マグネット１６が形成されるとともに、短絡部材４が揺動した際の固定部材２におけるマグネット１６と合致する位置にはリードスイッチＳＷ２が形成されている。リードスイッチＳＷ２は、マグネット１６の当接又は離間を検知する第２検知手段を成すものであり、これにより、短絡部材４が閉じた状態（即ち、固定部材２の導出ポート８と短絡部材４の第２短絡口６との接続）を検知することができる。
【００３３】
しかして、第１検知手段としてのスイッチＳＷ１及び第２検知手段としてのスイッチＳＷ２に基づいて容器Ｔの支持状態を認識することができる。即ち、スイッチＳＷ１及びスイッチＳＷ２が共にオフである場合は、容器Ｔがセットされた状態であると認識できる一方、両スイッチが共にオンである場合は、容器Ｔがセットされていない状態であると認識できる。これにより、短絡状態でないときに例えば洗浄や消毒用の薬剤を供給してしまうのを回避することができるとともに、短絡状態でなく、且つ、容器を支持していないときに導入ポートに溶解用の水等を供給してしまうのを回避することができる。
【００３４】
ところで、揺動部材３には、第１接続状態、非接続状態及び第２接続状態の各状態において、当該揺動部材３をロックするロック手段が形成されている。かかるロック手段は、図７及び図８に示すように、スイッチノブ１１と、該スイッチノブ１１と連結されたロッド１３と、リターンスプリング１２と、棒状の係止部材１４と、該係止部材１４と係止し得る被係止部材１５とから構成されている。
【００３５】
スイッチノブ１１は、リターンスプリング１２の付勢力により揺動部材３の側面から突出しており、かかるスイッチノブ１１を押圧操作すると、リターンスプリング１２の付勢力に抗して同図右方向へ移動し、これに伴って係止部材１４も連動して、図７の状態から図８の状態まで移動し得るようになっている。被係止部材１５は、図９〜図１１に示すように、係止用凹部１５ａ〜１５ｃが形成されており、揺動部材３が非接続状態のときに係止部材１４が係止用凹部１５ａに係止、第１接続状態のときに係止部材１４が係止用凹部１５ｂに係止、及び第２接続状態のときに係止部材１４が係止用凹部１５ｃに係止するよう構成されている。
【００３６】
例えば、揺動部材３を非接続状態から第１接続状態とするには、スイッチノブ１１を押圧して、係止部材１４の係止用凹部１５ａに対する係止を解除し、揺動部材３を第１接続状態まで揺動させる。そして、揺動部材３が第１接続状態の位置に達すると、係止部材１４が係止用凹部１５ｂに係止してロックされることとなる。
【００３７】
また、係止用凹部１５ｂにおける係止用凹部１５ｃ側の側壁には、所定の勾配面１５ｂａが形成されており、第１接続状態から第２接続状態とするには、スイッチノブ１１を押圧しなくても、揺動部材３が揺動可能とされており、第２接続状態の位置に達すると、係止部材１４が係止用凹部１５ｃに係止してロックされることとなる。これにより、第１接続状態から第２接続状態とする際、スイッチノブ１１の押圧操作が不要となり、作業性が向上する。
【００３８】
尚、第２接続状態から第１接続状態、或いは第１接続状態から非接続状態とするには、上記と同様の操作により行われる。但し、係止用凹部１５ｂにおける係止用凹部１５ａ側の側壁には、勾配面が形成されておらず、第１接続状態から非接続状態とするには、スイッチノブ１１を押圧する必要がある。これにより、第１接続状態のとき、誤って揺動部材３を揺動させて、導入ポート７と容器Ｔの上側開口Ｔａとのシールが不良となってしまうのを回避することができる。
【００３９】
上記ロック手段によれば、第１接続状態における容器Ｔの上端側の支持及び導入ポート７と上側開口Ｔａとの接続、第２接続状態における導入ポート７と第１短絡口５との接続を確実に維持させることができる。また、非接続状態で揺動部材３をロックすることにより、容器Ｔの取付及び取り外し時に揺動部材３を手で非接続状態に維持させておく必要がなくなり、作業性を向上させることができる。更に、第１接続状態における揺動部材３の第２接続状態側への揺動が許容されているので、前述の吸収手段としてのスプリング９をより有効なものとすることができる。
【００４０】
次に、上記構成の容器ホルダにおける作用について説明する。
本容器ホルダにて容器Ｔを支持させるには、まず、揺動部材３を非接続状態にロックさせておく一方、短絡部材４を開いた状態（図１の状態）としておく。そして、容器Ｔの下側開口Ｔｂを固定部材２の導出ポート８に嵌め込み、接続させた後、揺動部材３を第１接続状態まで揺動させ、導入ポート７を容器Ｔの上側開口Ｔａに接続させる。これにより、容器Ｔの上端側が揺動部材３にて支持されるとともに、下端側が固定部材２にて支持されることとなる。
【００４１】
この状態で、透析装置側から導入流路Ｒ２を介して溶解用の水を供給すると、その水が容器Ｔ内の収容空間Ｓに至り、薬剤（Ｂ剤）を溶解して原液が作成されて、導出流路Ｒ１を介して原液が透析装置側へ供給される。原液の作成が終了した後、揺動部材３を非接続状態まで揺動させ、上側開口Ｔａから導入ポート７を遠ざけ、接続を解除する。その後、容器Ｔを僅かに持ち上げ、下側開口Ｔｂと導出ポート８との接続を解除し、当該容器Ｔを容器ホルダから取り除く。
【００４２】
然る後、揺動部材３を第２接続状態まで揺動させ、導入ポート７を第１短絡口５に接続させるとともに、短絡部材４を揺動させて、固定部材２に合致させつつ係止爪１７によるロックを行い、導出ポート８と第２短絡口６との接続を図り、短絡状態をなす。尚、このとき、スイッチＳＷ１とスイッチＳＷ２が共にオン状態であるため、容器Ｔが取り除かれていることが認識されている。そして、透析装置側から洗浄液又は消毒液を供給すると、その洗浄液等が導入流路Ｒ２、短絡流路Ｒ３及び導出流路Ｒ１を通過し、透析装置側へ戻ることとなる。
【００４３】
上記実施形態によれば、容器ホルダの構成を簡素化することができ、且つ、短絡作業時において導入ポート７に接続された流路（導入流路Ｒ２に相当）の追従動作を回避することができるので、流路の取り回しを簡単にすることができるとともに、従来の如き短絡時に摺動させる摺動構成部品を不要とすることができる。更に、容器Ｔの下端側を支持する固定部材２が固定されているため、容器Ｔを支持する際の比較的大きな荷重に十分耐えることができる。即ち、短絡部材４を固定部材２に近接させて、導出ポート７に対して第２短絡口６を接続するので、容器Ｔの支持時及び短絡時の何れにおいても固定部材２を固定させたままとすることができ、容器Ｔの支持時に生じる比較的大きな荷重に十分耐えるよう、固定部材２をより強固に固定させることができるのである。
【００４４】
また、容器Ｔの上端側を揺動部材３にて支持するので、容器Ｔの上側開口Ｔａに対する導入ポート７の接続時或いは接続の解除時、てこの原理が働き、比較的小さな力でより確実な接続又は接続の解除を行わせることができる。更に、短絡部材４の揺動過程において第２短絡口６が導出ポート８と接続するよう設定されているので、単に短絡部材４を揺動させるだけで、第２短絡口６が導出ポート８の位置に正確に合致し、容易な接続を可能とすることができる。尚、本実施形態に係る短絡部材４は、その幅方向への揺動又は移動がなされないため、揺動時に本体からはみ出してしまうのを回避することができる。
【００４５】
以上、本実施形態について説明したが、本発明はこれに限定されるものではなく、例えば揺動部材３と短絡部材４とを連動させる連動機構を具備させ、揺動部材３を第１接続状態から第２接続状態まで揺動（又は第２接続状態から第１接続状態まで揺動）させると、短絡部材４も連動して開いた状態（図１で示した状態）から閉じた状態（図３で示した状態）（又は図３で示した状態から図１で示した状態）となるよう構成するのが好ましい。
【００４６】
また、本実施形態においては、本体１を具備し、該本体１に固定部材２及び揺動部材３を支持しているが、例えば本体１を廃し、透析装置の壁面に固定部材２及び揺動部材３を支持させるようにしてもよい。この場合であっても、固定部材２を壁面に強固に固定させ、揺動部材３を揺動可能に構成することができる。尚、本実施形態の容器ホルダにおいては、透析に使用されるＢ剤の容器を支持しているが、溶解等が必要な他の内容物を収容した容器（上側開口及び下側開口を具備した他の容器）を支持するものとしてもよい。
【産業上の利用可能性】
【００４７】
揺動部材の揺動により導入ポートと第１短絡口とを接続するとともに、短絡部材によりその第２短絡口と固定部材の導出ポートとを接続して短絡させる容器ホルダであれば、外観形状が異なるもの或いは他の機能が付加されたものにも適用することができる。
【図面の簡単な説明】
【００４８】
【図１】本発明の実施形態に係る容器ホルダ（容器を支持した状態）を示す斜視図
【図２】同容器ホルダ（容器を支持した状態）を示す断面図
【図３】同容器ホルダ（短絡した状態）を示す斜視図
【図４】同容器ホルダ（短絡した状態）を示す断面図
【図５】同容器ホルダにおける揺動部材（容器が取り付けられる前）の内部を示す一部破断した斜視図
【図６】同容器ホルダにおける揺動部材（容器が取り付けられた後）の内部を示す一部破断した斜視図
【図７】同容器ホルダにおける揺動部材（スイッチノブを押圧しない状態）を示す断面図
【図８】同容器ホルダにおける揺動部材（スイッチノブを押圧した状態）を示す断面図
【図９】同容器ホルダにおける揺動部材の非接続状態を示す斜視図
【図１０】同容器ホルダにおける揺動部材の第１接続状態を示す斜視図
【図１１】同容器ホルダにおける揺動部材の第２接続状態を示す斜視図
【図１２】同容器ホルダにおける固定部材及び短絡部材を示す斜視図
【符号の説明】
【００４９】
１    本体
２    固定部材
３    揺動部材
４    短絡部材
５    第１短絡口
６    第２短絡口
７    導入ポート
８    導出ポート
９    スプリング（吸収手段）
１０  スイッチレバー
１１  スイッチノブ
１２  リターンスプリング
１３  ロッド
１４  係止部材
１５  被係止部材
１６  マグネット
１７  係止爪
１８  被係止部
ＳＷ１  スイッチ（第１検知手段）
ＳＷ２  スイッチ（第２検知手段）
Ｔ    容器
Ｔａ  上側開口
Ｔｂ  下側開口
Ｓ    収容空間
Ｒ１  導出流路
Ｒ２  導入流路
Ｒ３  短絡流路
【図１】
2006325668.tif 000003
【図２】
2006325668.tif 000004
【図３】
2006325668.tif 000005
【図４】
2006325668.tif 000006
【図５】
2006325668.tif 000007
【図６】
2006325668.tif 000008
【図７】
2006325668.tif 000009
【図８】
2006325668.tif 000010
【図９】
2006325668.tif 000011
【図１０】
2006325668.tif 000012
【図１１】
2006325668.tif 000013
【図１２】
2006325668.tif 000014